(57)【要約】【課題】フック体のフック部に、携帯電話や筆記具等の本体に容易に装着可能で、且つ装着した携帯電話や筆記具等が容易に脱落しないフック体付きストラップを簡単な構造で提供する。【解決手段】紐部材を装着した筒状の合成樹脂製の保持具に、少なくとも２本の脚部とフック部を一体に形成した合成樹脂製からなるフック体を着脱自在に連結してなるストラップであって、前記脚部を内側に撓み可能に形成し、前記脚部に第１の係止部と、該第１の係止部より前記フック部側に、第２の係止部を形成するとともに、該脚部に設けた係止部が、前記保持具の内壁に形成した、内方に向かって延びる凸部に、前記脚部に形成した第１又は第２の係止部を乗り越し嵌合することにより、前記フック体を保持具に連結可能とする。【選択図】          図１
2008005866.tif 000002
【特許請求の範囲】
【請求項１】
紐部材を装着した両端を開口した筒状の合成樹脂製の保持具に、少なくとも２本の脚部とフック部を一体に形成した合成樹脂製からなるフック体を着脱自在に連結してなるストラップであって、前記脚部を内側に撓み可能に形成し、前記脚部に第１の係止部と、該第１の係止部より前記フック部側に、第２の係止部を形成するとともに、該脚部に設けた係止部が、前記保持具の内壁に形成した、内方に向かって延びる凸部に、前記脚部に形成した第１又は第２の係止部を乗り越し嵌合することにより、前記フック体を保持具に連結可能とするとともに、前記第１の係止部を、前記凸部に係止した状態で、前記フック部の先端縁が、前記保持具の後端縁より外方に位置し、前記第２の係止部を前記突部に係止することにより、前記フック部の先端縁が、前記保持具の後端内部に没入することを特徴とするフック体付きストラップ
【請求項２】
前記保持具の側壁に開口窓部を形成するとともに、前記脚部に、該脚部の内側への撓み動作に連動するボタン部を連設するとともに、前記第１又は第２の係止部が前記凸部に係止した状態で、前記ボタン部が、前記開口窓部より外方に突出することを特徴とする請求項１に記載のフック体付きストラップ
【請求項３】
前記フック部の先端部に、凸部及び／又は凹部を一体に形成したことを特徴とする請求項１または２に記載のフック体付きストラップ
【請求項４】
前記保持具及び／又はフック体を、透明又は半透明で形成したことを特徴とする請求項１ないし３の何れか１項に記載のフック体付きストラップ
【発明の詳細な説明】
【技術分野】
【０００１】
本発明は紐部材を装着した保持具の後端内部に、フック部を有するフック体の脚部を着脱自在に連結してなるフック体付きストラップに関する。
【背景技術】
【０００２】
従来から、紐部材等を装着した保持具の後端内部に、フック部を有するフック体の脚部を連結してなるフック体付きのストラップはよく知られている。こうしたフック体は、携帯電話や筆記具等の本体のリング部に着脱自在に嵌合するために、特開２００１−３０４２３１号「合成樹脂製ナス環」等のように、蓋体によってフック体のフック部を開閉自在にする構造のものや実開昭６２−１３９８２号公報「フック」にフック体を昇降自在に嵌合し、使用時にフック部を開口し、非使用時にフック部を閉鎖する構造や、実開平４−８８５１４号「フック付き連結具」に、フック体のフック部が開口した状態から弾発部材の弾発力によって閉鎖する構造が開示されている。
【特許文献１】「特開２００１−３０４２３１号公報」
【特許文献２】「実開昭６２−１３９８２号公報」
【特許文献３】「実開平４−８８５１４号公報」
【発明の開示】
【発明が解決しようとする課題】
【０００３】
しかしながら、特許文献１にように、蓋体によってフック体のフック部を開閉自在にするには、部品点数の増加するとともに、振動や衝撃によって、フック部が開口してしまい、携帯電話や筆記具等の本体から脱落し易いという問題あった。また、特許文献２、３は、コイルスプリング等の弾発部材を必要とするため、部品点数が増加するとともに、フック部を使用する場合には、フック部を開口するために、弾発部材の弾発力が加わった状態を維持する必要があるため、片手での装着が困難である等、使い勝手に問題があった。
【０００４】
ところで、近年、鉛による環境問題やデザイン性による自由度を拡げるために、フック体を合成樹脂製にすることが望まれている。
【０００５】
本発明の目的は、フック体のフック部に、携帯電話や筆記具等の本体に容易に装着可能で、且つ装着した携帯電話や筆記具等が容易に脱落しないフック体付きストラップを簡単な構造で提供することである。
【課題を解決するための手段】
【０００６】
本発明は、紐部材を装着した筒状の合成樹脂製の保持具に、少なくとも２本の脚部とフック部を一体に形成した合成樹脂製からなるフック体を着脱自在に連結してなるストラップであって、前記脚部を内側に撓み可能に形成し、前記脚部に第１の係止部と、該第１の係止部より前記フック部側に、第２の係止部を形成するとともに、該脚部に設けた係止部が、前記保持具の内壁に形成した、内方に向かって延びる凸部に、前記脚部に形成した第１又は第２の係止部を乗り越し嵌合することにより、前記フック体を保持具に連結可能とするとともに、前記第１の係止部を、前記凸部に係止した状態で、前記フック部の先端縁が、前記保持具の後端縁より外方に位置し、前記第２の係止部を前記突部に係止することにより、前記フック部の先端縁が、前記保持具の後端内部に没入することを特徴とする。
【０００７】
また、前記保持具の側壁に開口窓部を形成するとともに、前記脚部に、該脚部の内側への撓み動作に連動するボタン部を連設するとともに、前記第１又は第２の係止部が前記凸部に係止した状態で、前記ボタン部が、前記開口窓部より外方に突出することを特徴とする。
【０００８】
また、前記フック部の先端部に、凸部及び／又は凹部を一体に形成したことを特徴とする。
【０００９】
また、前記保持具及び／又はフック体を、透明又は半透明で形成したことを特徴とする。
【発明の効果】
【００１０】
フック体のフック部に、携帯電話や筆記具等の本体に容易に装着可能で、且つ装着した携帯電話や筆記具等が容易に脱落しないフック体付きストラップを簡単な構造で提供することができた。
【００１１】
更に、保持具及びフック体を合成樹脂製とすることで、様々な形状にすることができ、デザインの幅を広げることができた。
【発明を実施するための最良の形態】
【００１２】
次に図面を参照しながら、本発明のフック体付きストラップの実施例を説明するが、本発明は以下の実施例に限定されるものではない。
【００１３】
実施例１
図１から図３に示すフック体付きのストラップ１は、保持具２の先端開口部に紐部材５を装着するとともに、保持具２内に、合成樹脂製からなる軸部３ａ及びフック部３ｂを有するフック体３の脚部４を着脱自在に連結してフック体付きストラップ１を得ている。
【００１４】
保持具２の内壁には、内方に向かって延びる凸部２ｃを形成してある。また、２本の脚部４は、内側に撓み可能（矢印Ｇ方向）に形成してあり、この脚部４に設けた第１の係止部４ａと、第１の係止部４ａよりフック部３ｂ側に形成した第２の係止部４ｂが、凸部２ｃを乗り越して係止することにより、フック体３を保持具２に着脱自在に連結してある。
【００１５】
フック体３は、第１の係止部４ａを凸部２ｃに係止した状態では、フック体３の先端縁３ｃが保持具２の後端縁２ａから外方に位置（距離Ｍ）して、フック部３ｂは開口している。さらに、フック体３の脚部４を内側に撓ませて、フック体３を保持具２の先端側に移動（矢印Ｆ方向）し、第２の係止部４ｂを凸部２ｃに係止することにより、保持具２の後端縁２ａとフック体３の先端縁３ｃまでの距離Ｎだけ没入し、フック体３のフック部３ｂを閉鎖する。
【００１６】
そのため、フック体３のフック部３ｂを使用する場合には、先ず、第１の係止部４ａを凸部２ｃに係止させ、フック部３ｂを開口した状態とし、フック部３ｂに筆記具等に付設したリング体等（図示せず）を挿通させる。その後、フック体３を保持具２の先端側に移動させて、第２の係止部４ｂを凸部２ｃに係止することにより、フック部３ｂの先端縁３ｃを保持具２の後端内部に没入させる。その結果、リング体（図示せず）をフック体３から容易に取り外せないようにすることができる。
【００１７】
また、保持具２の側壁に開口した窓部２ｂを形成してあり、脚部４の第１または第２係止部４ａ、４ｂが、保持具２の凸部２ｃに係止した状態で、脚部４に連設したボタン部４ｃを、窓部２ｂより外方に突出した状態にしてある。そのため、フック部３ｂの先端縁３ｃを保持具２の後端内部に没入した状態（図１）からフック部３ｂの先端縁が後端縁から離間し、フック部が開口した状態（図２）にする場合には、窓部２ｂから突出したボタン部４ｃを内側に押圧して、脚部４を内側に撓ませることで、フック体３を保持具２の後端縁２ａ側に容易に移動（矢印Ｆの反対方向）することができる。
【００１８】
保持具２やフック体３の形状は特に限定されるものではなく、フック部３ｂがＶ字状やＵ字状等、適宜選択して使用することができるが、フック部３ｂの先端部に凸部３ｄを一体に形成することによって、フック部に、筆記具等（図示せず）に付設したリング体を挿通させ、その後、フック部の先端縁が、保持具の後端内に没入するまでの間や、外力等によって、不本意にフック部が開口したとしても、凸部３ｄにリング体が当接し、容易に外れることがないので好ましい。
【００１９】
さらに、保持具及び／又はフック体を合成樹脂製にすることによって、透明や半透明でも形成可能であるので、デザインや外観等で差別化を図ることができる。
【００２０】
尚、凸部２ｃの形状は特に限定されるものではないが、フック体３の脚部３ａが、保持具２の後端縁２ａ側から進入（矢印Ｆ方向）してきた時に、容易に乗り越し嵌合を可能とするため、凸部２ｃの保持具２の後端縁２ａ側を傾斜面２ｄとすることが好ましい。
【産業上の利用可能性】
【００２１】
フック体付きのストラップとして、広く実施可能であり、フック体等、金属部品を用いることなく実施可能としてあるので、安全性が高く、幼児用や子供用として可能であるので、筆記具や文具に用いることが最も好ましい。
【図面の簡単な説明】
【００２２】
【図１】実施例１のフック体付きストラップを示す保持具を縦断面とした図である。
【図２】図１における第２の係止部が凸部に係止した状態を示す図である。
【図３】図１におけるフック体を係止する前の状態を示す図である。
【符号の説明】
【００２３】
１  フック体付きストラップ
２  保持具
２ａ  後端縁
２ｂ  窓部
２ｃ  凸部
２ｄ  傾斜面
３  フック体
３ａ  軸部
３ｂ  フック部
３ｃ  先端縁
４  脚部
４ａ  第１の係止部
４ｂ  第２の係止部
４ｃ  ボタン部
５  紐部材
Ｍ  保持具の後端縁とフック部の先端縁までの離間距離
Ｎ  保持具の後端縁とフック部の先端縁までの没入距離
【図１】
2008005866.tif 000003
【図２】
2008005866.tif 000004
【図３】
2008005866.tif 000005